(57)【要約】ベース（20）と、該ベースの一端部に片持ち状に取り付けられたフレーム（30）と、該フレームにスライド可能に取り付けられたスライド部材（40）とを有し、スライド部材（40）に設けられた上刃（4）と、ベース（20）に設けられた下刃（2）とによって、これらの間に挿入された被裁断物を裁断するカッター（10）であって、ハンドル（50）を操作することによってスライド部材（40）を上方位置と下方位置の間でスライド移動させる駆動機構（60）を有し、上方位置では、上刃（4）と下刃（2）の間の隙間内に、片持ち状に取り付けられたフレーム（30）の取り付け側を除くほぼ全周囲から被裁断物を挿入可能にし、下方位置では、上刃（4）と下刃（2）を噛合わせて、隙間内に置かれた被裁断物を裁断する。
2007099758.tif 000002
【特許請求の範囲】
【請求項１】
ベースと、該ベースの一端部に片持ち状に取り付けられたフレームと、該フレームにスライド可能に取り付けられたスライド部材とを有し、前記スライド部材に設けられた上刃と、前記ベースに設けられた下刃とによって、前記上刃と前記下刃との間に挿入された被裁断物を裁断するカッターであって、ハンドルを操作することによって前記スライド部材を上方位置と下方位置の間でスライド移動させる駆動機構を有し、前記上方位置では、前記上刃と前記下刃の間の隙間内に、前記片持ち状に取り付けられたフレームの取り付け側を除くほぼ全周囲から被裁断物を挿入可能にし、前記下方位置では、前記上刃と前記下刃を噛合わせて、前記隙間内に置かれた前記被裁断物を裁断することを特徴とするカッター。
【請求項２】
前記駆動機構は、前記スライド部材を、前記フレームのベースへの取り付け側に向けて、斜め下方に移動させることを特徴とする請求項１に記載のカッター。
【請求項３】
前記上刃は、前記下刃の側面に対してバネ付勢されており、前記下刃に摺接して案内するガイド部を有することを特徴とする請求項１又は２に記載のカッター。
【請求項４】
前記上刃は、前記フレームのベースへの取り付け側が下方になるように傾斜させて配設されたことを特徴とする請求項１〜３の何れかに記載のカッター。
【請求項５】
前記駆動機構は、前記スライド部材に設けられた空間部内に、前記ハンドルを前記フレームに回動可能に取り付けるシャフトと、該シャフトに軸着されたカム部材とを有し、前記ハンドルを押し下げることによって、前記カム部材が回転して前記空間部の内壁に摺接し、前記スライド部材を斜め下方に移動させるように構成されたことを特徴とする請求項１〜４の何れかに記載のカッター。
【請求項６】
前記上刃の側面は、板状の前記スライド部材の側面に固定されており、前記フレームは、前記ベースへの取付部と、該取付部の先端から水平方向に延びて前記スライド部材の側面を取付ける本体部とからなり、前記フレームの本体部を前記下刃の側面に対して所定の角度をもって近接するように、前記フレームの前記ベースへの取付部に配設することによって、前記上刃を前記下刃の側面に対してばね付勢したことを特徴とする請求項１〜５の何れかに記載のカッター。
【請求項７】
前記ベース上に、前記上刃と前記下刃の間の隙間に対して、直角又は平行に延びる定規を備えたことを特徴とする請求項１〜６の何れかに記載のカッター。
【請求項８】
前記定規は上下動自在であって、非使用時には、前記ベース内に収容されることを特徴とする請求項７に記載のカッター。
【請求項９】
被裁断物の端部から限られた位置で、被裁断物を裁断するために、前記端部を当接させる奥行定規を備えたことを特徴とする請求項１〜８の何れかに記載のカッター。
【請求項１０】
前記奥行定規は上下動自在であり、さらに、スライド操作に連動して前記奥行定規を上下動させるスライダを備えたことを特徴とする請求項９に記載のカッター。
【請求項１１】
前記フレームの取り付け側とは反対側に、前記上刃と前記下刃の間の隙間を狭めるカバーを備えたことを特徴とする請求項１〜１０の何れかに記載のカッター。
【請求項１２】
前記スライド部材が移動した際に、該スライド部材とベースとの間を面一に保つカバーを前記フレームに備えたことを特徴とする請求項１〜１１の何れかに記載のカッター。
【発明の詳細な説明】
【技術分野】
【０００１】
本発明は、紙や布等の被裁断物を裁断する卓上設置式のカッターに関する。
【背景技術】
【０００２】
一般に、卓上設置式のカッターには、押し切り式のものとギロチン式のものがある。
押し切り式のカッターは、例えば、特開平１１−２３５６９２号公報に示されているように、ベースの一端部に設けられた支持部材に裁断刃を回動可能に取り付け、ハンドルを操作して裁断刃を下方向に回動させることによって、ベースと裁断刃との間に挿入された被裁断物を裁断している。
一方、ギロチン式の裁断機は、例えば、実開平６−１５９９２号公報に示されているように、ベースの両側に設けられたフレームに裁断刃をスライド可能に取り付け、その裁断刃を下方にスライドさせることによって、ベース上に載置された被裁断物を裁断している。【０００３】
しかしながら、特開平１１−２３５６９２号公報に示されたような押し切り式のカッターでは、一端からヒンジ状に取り付けられた裁断刃を大きく回動させるため、幼老人や指先の不自由な人等には使うことができない場合があった。また、押し切り式のカッターでは、被裁断物の挿入方向とは反対方向から裁断刃が降りてくる構造の裁断機のため、回動する裁断刃によって裁断するので、被裁断物が裁断刃によって挿入方向とは反対側に押し戻され、位置ズレが生じるという問題があった。
また、実開平６−１５９９２号公報に示されたようなギロチン式の裁断機では、裁断刃の移動範囲をより限定させているが、裁断刃は両側部からフレームに取り付けられており、被裁断物の挿入される向きが限定されていた。
さらに、いずれのカッターも、上刃が被裁断物に向けて略垂直方向に入り込むため、裁断の際に強い力を要する上に、被裁断物の裁断面に毛羽立ちが生じやすく、美しく裁断できない場合があった。また、布等の柔軟な素材を裁断できなかったり、厚紙や束ねた複数の紙を裁断するために鋭利で重厚な刃を用いる必要があったりして、汎用性や安全性が低かった。
【発明の開示】
【発明が解決しようとする課題】
【０００４】
そこで、本発明は、弱い力でも容易に美しく裁断できると共に、紙の裁断や布の裁断など幅広い用途に使用することができ、尚且つ安全性が高いカッターの提供を目的とする。
【課題を解決するための手段】
【０００５】
上記目的を達成するために、本発明は、請求項１に記載のように、ベースと、該ベースの一端部に片持ち状に取り付けられたフレームと、該フレームにスライド可能に取り付けられたスライド部材とを有し、前記スライド部材に設けられた上刃と、前記ベースに設けられた下刃とによって、前記上刃と前記下刃との間に挿入された被裁断物を裁断するカッターであって、ハンドルを操作することによって前記スライド部材を上方位置と下方位置の間でスライド移動させる駆動機構を有し、前記上方位置では、前記上刃と前記下刃の間の細長い隙間内に、前記片持ち状に取り付けられたフレームの取り付け側を除くほぼ全周囲から被裁断物を挿入可能にし、前記下方位置では、前記上刃と前記下刃を噛合わせて、前記隙間内に置かれた前記被裁断物を裁断することを特徴とする。
【発明の効果】
【０００６】
この構成では、ハンドル操作だけで、駆動機構を利用して、フレーム上でスライド部材をスライド移動させて、上刃と下刃によって被裁断物を裁断できる。このため、ヒンジ状に取り付けられた裁断刃を大きく回動させる従来技術と比べて、安全性をより高めることができる。また、フレームを片持ち状に取り付けて、フレームの取り付け側を除くほぼ全周囲から被裁断物を挿入可能にしたので、上刃と下刃の間の隙間内に、様々な方向から被裁断物を連続的に挿入できる。このため、裁断刃を両側部からフレームに取り付ける従来技術と比べて、より自由な形に被裁断物を裁断できる。特に、一方の手でハンドル操作しながら、他方の手で被裁断物を挿入していくことで、大面積の被裁断物を連続的に裁断することも可能となる。これによって、操作が容易で安全性の高い鋏としての機能を発揮できる。また、上刃と下刃の２刃で裁断するため、刃先をさほど鋭利にする必要がないので、安全性をより高めることができる。特に、スライド部材をフレームに向けて斜め下方にスライドさせる場合、上刃が被裁断物の表面をなでながら切り込んでいき、綺麗に裁断できる。さらに、被裁断物が挿入側とは反対側に逃げるのを防止するので、片手でも作業できる。
本発明のカッターに関するさらなる特徴と効果は、以下の明細書の説明や添付した図に示される。
【発明を実施するための最良の形態】
【０００７】
まず、図１〜１０を参照して、本発明の第一の実施形態に係るカッター１０について説明する。図示されるように、カッター１０は、ベース２０と、該ベース２０上に片持ち状に取り付けられたフレーム３０と、該フレーム３０に対して、スライド移動自在に取り付けられたスライド部材４０と、該スライド部材４０のスライド移動を操作する操作部５０を有している。ベース２０とスライド部材４０には夫々下刃２と上刃４が取り付けられており、操作部５０によるスライド部材４０のスライド移動に伴って、ベース２０上に固設された下刃２に対して、上刃４を上方から移動させて、これら刃２、４によって裁断機能を行えるようにしている。【０００８】
スライド部材４０は、図１及び２の（Ａ）に示す上方位置と、図１及び２の（Ｂ）に示す下方位置の間で、スライド移動自在となっている。スライド部材４０が上方位置にあるとき、図３に示すように、ベース２０上に取り付けられた下刃２と、スライド部材４０上に取り付けられた上刃４の間に隙間Ｓが生じる。このため、この隙間Ｓを介して、裁断位置が見え、主に紙や布等の被裁断物を挿入できる。この隙間Ｓの大きさは、実施形態に応じて任意に定めることができる。人間の指が挿入できないようにして、不注意による事故等が生じることを未然に防ぐようにしてもよい。【０００９】
フレーム３０は、ベース２０の一端部に片持ち状に取り付けられており、他端部が開口されているため、上刃４と下刃２の間の細長い隙間Ｓ内に、フレーム３０の取り付け側を除くほぼ全周囲から被裁断物を挿入できる。このため、上刃４と下刃２の間の隙間Ｓ内に、図１の（Ａ）の矢印ａに示すように、前方から被裁断物を挿入できるとともに、矢印ｂに示すように、側方からも被裁断物を挿入できる。さらに、上刃４と下刃２の間の隙間Ｓ内に、任意の角度で、斜め前方や斜め側方からも被裁断物を挿入できる。また、被裁断物を挿入し、色々な方向に被裁断物の向きを変えながら、上刃４を下降させ裁断することができるので、鋏で裁断するかのごとく、自由な形状に裁断することができる。また、フレーム３０がベース２０の一側部のみに取り付けられており、他側部は開口しているので、その開口部から被裁断物を連続的に挿入しつつ裁断することができる。このため、新聞紙のような大きなサイズの被裁断物を裁断することが可能となる。【００１０】
添付した図から理解できるように、基本的に、本発明の実施形態に係るカッター１０は、机上に設置されて使用されることを前提としている。このため、安定して机上に設置されるように、ベース２０の裏面側には、複数個のゴム製の脚部を適宜備えて、容易に滑らないようにしている。ベース２０の表面の一側部側には、水平な基盤２２が備えられ、この基盤２２上に、裁断時に、紙等の被裁断物が置かれる。また、図４に示すように、基盤２２の中央側の縁部には、下刃２が固設される。下刃２は基盤２２の縁部で直線状に延びるように取り付けられており、刃先を上に向けている。また、ベース２０は、下刃２を境にして、基盤２２の他側部側に、下方に向う段差を設け、裁断後の切れ端を回収するための収容部２４としている。【００１１】
ベース２０上には、片持ち状に、フレーム３０が固設される。図２から理解できるように、フレーム３０は、略板状の本体３３と、この一方の端部側に、約９０度湾曲して取付部３１を有している。図１に示すように、フレーム３０の取付部３１は、ベース２０上に取付面３２を延ばしており、この取付面３２から、ベース２０上に取り付けられている。フレーム３０の略板状の本体３３の一方の側面に、同様に略板状の本体を有するスライド部材４０の側面を当接させている。また、フレーム３０のスライド部材４０とは反対側には、操作部５０をヒンジ状に取り付け、その操作部５０を回転すると、フレーム３０内に設けられた駆動機構６０が駆動され、スライド部材４０をスライド移動させるようにしている。この駆動機構６０は、以下において詳述される。【００１２】
スライド部材４０は、フレーム３０と反対側に上刃４を取り付けている。上刃４の取り付けは様々に行うことができるが、例えば、図５に示すように、上刃４の背１２に取付用の孔５ａ、５ｂ、５ｃを設けて、これら孔５ａ、５ｂ、５ｃを介して、ねじ３ａ、３ｂ、３ｃを、スライド部材４０に設けられた雌ねじ状の孔４１ａ、４１ｂ、４１ｃ内に螺合させる。上刃４はスライド部材４０の長手方向に沿って、下刃２とほぼ平行に直線状に延びるように取り付けられ、刃先を下に向けている。この際、上刃４と下刃２の刃先は、刃渡りが平行になるようにするのではなく、図３に示すように、水平に配置された下刃２の刃先に対し、上刃４が僅かに傾斜させるのが好ましい。これによって、被裁断物に対して角度をもって切り込むことができるので、切れ味が良くなる。
特に、一側部側（即ち、フレーム３０への取り付け側）が下方になるように傾斜させることによって、上刃４が一側部側に向けて斜め下方にスライドして被裁断物を裁断した際に、あたかも刺身を包丁で切るような状態となるので、被裁断物の表面の毛羽立ちが押さえられ、美しく裁断できる。
また、切れ味を良くするため、上刃４と下刃２の刃先に様々な工夫を凝らしてもよい。この場合、図８に示すように、エッジ側の刃面を、刃先から僅かに上方の位置で窪ませることによって、刃先が鋭利になるようにしてもよい。【００１３】
上述のように、スライド部材４０のスライド移動を操作するため、操作部５０が備えられるが、好ましくは、この操作部５０は、押し下げることによって、スライド部材４０を移動させるハンドルである。図４に示すように、ハンドル５０の本体は、長手方向に延びるように略棒状に構成されている。また、ハンドル５０は、ハンドルシャフト５２を用いて、フレーム３０に対してヒンジ状に取り付けられている。このシャフト５２は、フレーム３０内で延設されて、図５に示したフレーム３０上の駆動機構６０の一部と接続される。また、ハンドル５０の反対側の端部にはグリップ部５４が備えられる。【００１４】
次に、図６と７を参照して、図５に示した駆動機構６０について説明する。駆動機構６０は、ハンドル５０を押し下げることで、スライド部材４０を水平状態を維持しながら、斜め下方に移動させるための機構であり、スライド部材４０のフレーム３０の取り付け側に設けられた空間部４２内に、ハンドル５０をフレーム３０に回動可能に取り付けるシャフト５２と、該シャフト５２に軸着されたカム部材６２を有している。そして、ハンドル５０を押し下げることによって、ハンドル５０のシャフト５２に軸着されたカム部材６２が回転して、カム部材６２の外周が空間部４２の内壁に摺接するようになっている。ここで、スライド部材４０の空間部４２の形状とカム部材６２の形状は、ハンドル操作によって、スライド部材４０が上方から下方に向けて移動した際に、フレーム３０のベース２０への取り付け側に向けて斜め後方に、スライドされる様に設計されている。【００１５】
即ち、カム部材６２は、この回転によって空間部４２の内壁に摺することでスライド部材４０を斜め下方に移動させるレバーとして機能するものであり、シャフト５２に取り付けられて、径方向に本体を延ばしており、この端部側の接続部６４において、空間部４２の内壁面（スライド部材４０の側面４４）とリンク状に接続されている。このため、図１の（Ａ）から（Ｂ）に示すように、ハンドル５０を円周方向に移動させて、図６に示した回転軸Ｏを中心としてシャフト５２を回転させると、シャフト５２と一体に取り付けられたレバー６２は、シャフト５２の回転に伴って、図６の（Ａ）から（Ｂ）に示すように、回転軸Ｏを中心として回転する。【００１６】
図示した実施形態では、図７に示すように、レバー６２を収容するスライド部材４０の空間部４２内には段差が設けられており、この段差の側面４４に対して、図６に示すように、レバー６２の接続部６４を当接させている。さらに、図７に示すように、側面４４には孔４８が設けられており、この孔４８内に装着されたピン又はシャフト４６を介して、図６に示すように、レバー６２の接続部６４を段差の側面４４とヒンジ状に接続させている。このため、図１の（Ａ）から（Ｂ）に示すように、ハンドル５０を円周方向に回転させると、上記ヒンジ状の接続によって、レバー６２から作用を受けて、図６の（Ａ）から（Ｂ）に示すように、スライド部材４０がスライド移動できる。また、スライド部材４０が下方位置まで移動した後、再度、図１の（Ｂ）から（Ａ）に示すように、ハンドル５０を元の位置に戻すように逆方向に回転させると、図６の（Ｂ）から（Ａ）に示すように、スライド部材４０を逆方向にスライド移動させて、元の状態に復帰させることができる。【００１７】
この様なレバー６２を一対、段差の両側面４４、４４側に、夫々レバー６２、６２の接続部６４、６４を対面させて設けている。これら接続部６４、６４は、上記シャフト４６によって、間に上記段差を挟むように一体に接続されている（図５参照）。このように構成することで、レバー６２、６２の接続部６４、６４側の縁部が開口部の下側の壁部に当接し、この縁部においてスライド部材４０を一端部側（取り付け側）方向に移動させるので、ハンドル操作によってスライド部材４０を取り付け側に向けて斜め下方に移動させることができる。【００１８】
さらに、図示した実施形態では、図６に示すように、駆動機構６０は、上記レバー６２と同様のレバー６３を、長手方向に延びるスライド部材４０のベース２０への取り付け側から離れた他端部に設けている。このレバー６３は、上述したレバー６２と同様に構成されるが、レバー６３を回転自在に支持するシャフト５３は、スライド部材４０に固定されており、スライド部材４０の動きによって、レバー６２の回転に追従するように、レバー６３を回転させる。このレバー６３が、下刃２に対するスライド部材４０の平行状態が維持されるように設計された空間部４３内を回動することで、スライド部材４０が、下刃２に対する平行状態を維持しつつ、取り付け側に向けて斜め下方に移動可能となる。【００１９】
さらに、駆動機構６０は、スライド部材４０の移動範囲を定める手段７０を備えている。即ち、図６に示すように、スライド部材４０内にさらなる空間部７２を形成するとともに、この空間部７２内に、フレーム３０に対して固設されたスライドガイド板７６を配置させる。スライド部材４０が上方位置にあるとき、図６の（Ａ）に示すように、空間部７２の左下側の端部に対して、スライドガイド板７６の左下側の端部が当接して、スライド部材４０の上方位置の限界を定めるようにしている。また、スライド部材４０が下方位置にあるとき、図６の（Ｂ）に示すように、空間部７２の右上側の端部に対して、スライドガイド板７６の右上側の端部が当接して、スライド部材４０の下方位置の限界を定めるようにしている。従って、空間部７２の左下側の端部から、右上側の端部に向って、対角線上にスライド部材４０の移動範囲が定められており、フレーム２０に対し固定されたスライドガイド板７６を用いて、この移動範囲を越えてスライド部材４０がスライド移動することを防いでいる。【００２０】
図示した実施形態では、図７に示すように、スライドガイド板７６を収容するスライド部材４０の空間部７２内に段差を設けており、図６に示すように、この側面７８からスライドガイド板７６を当接させている。また、スライドガイド板７６は、側面７８と常に当接するように係合されている。このため、スライド部材４０のスライド移動中、スライドガイド板７６が側面７８と係合することにより、スライド部材４０がフレーム３０から離れないようにスライド移動することを確保させている。【００２１】
この様な空間部７２とスライドガイド板７６の組合せは、スライド部材４０内に複数個備えられてもよい。本実施形態では、図６に示すように、スライド部材４０のベース２０への取り付け側から離れた他端部に、上記空間部７２とスライドガイド板７６と同様の構成の空間部７３とスライドガイド板７７を設けている。この二つのスライドガイド板７６、７７は、同一長さであって、平行に配置されるので、スライド部材４０をこの全長にわたってほぼ等しくスライド移動させるように案内することができる。【００２２】
以上のように駆動機構６０を構成することにより、所定のスライド移動経路に沿って、所定の角度と所定の距離で、スライド部材６０を確実にスライド移動できる。さらに、図示した実施形態では、この操作性を高めるため、上方位置では、弾性体（例えば、コイルやばね等）３８の有する弾力によって、ハンドル５０を浮動状態で上方に支持させている。例えば、図９に示すように、ハンドル５０の回転側の端部側とフレーム３０の間に弾性体３８を取り付ける。例えば、これはねじりコイルばね３８であって、一方の端部をハンドル５０と係合させ、反対側の端部をフレーム３０と係合させる。ハンドル５０のグリップ部５４に何の力も加わっていない状態では、図１の（Ａ）に示すように、ばね３８の弾力を利用して、フレーム３０に対してハンドル５０の本体を上方に付勢された状態で支持させる。ハンドル５０のグリップ部５４に上方から力を加えて、ハンドル５０の本体が下方に押し込まれると、上記駆動機構６０が操作されて、スライド部材４０が基盤２２に向って下方移動する。そして、ハンドル５０のグリップ部５４に加えられた力が取り除かれると、ハンドル５０の本体は、上記ばね３８の弾力によって、再度元の上方位置に復帰する。好ましくは、図２の（Ａ）、（Ｂ）に示すように、フレーム３０の側面にハンドルストッパー３６を固設させて、ハンドル５０の回転角度を限定させて、必要以上の負荷が駆動機構６０に及ぼされないようにする。
このように構成することで、ハンドル５０のグリップ部５４を押し下げることによって、駆動機構６０を介してスライド部材４０を下降させることができ、グリップ部５４を離すことによって、ハンドル５０が初期位置に復帰すると同時に、スライド部材４０が上昇し、上刃４と下刃２との間が開放される。このように、グリップ部５４を押し下げるだけで、上刃４と下刃２との間に挿入された被裁断物を裁断することができるので、手の不自由な人にとっても容易に裁断作業を行うことができる。
また、上刃４が水平状態を維持しながら、取り付け側（即ち、被裁断物の挿入方向）に向けて斜め下方に動くので、取り付け側と反対側に向けて上刃４が回動する押し切り式のカッターのように、被裁断物が押し戻されることがない。
なお、このカッターの鋏としての機能は、以下のように、上刃４が下刃２に押し付けられるように構成することによって確保される。【００２３】
即ち、スライド部材４０のスライド移動に伴って、上刃４もスライド移動するが、この際、上刃４が下刃２の側面に押付けられることで、上刃４と下刃２の点当たりを確保している。即ち、図２の（Ａ）の符合Ｄに示すように、ベース２０上に取り付けられるフレーム３０の本体３３が、若干、側方にずれて上方に延びており、このため、スライド部材４０上の上刃４は、下刃２に対して反りＤを有している。この反りＤは、フレーム３０の本体３３を下刃２との平行位置から僅かな角度（例えば、０．１〜１度であって、好ましくは、０．５度）だけ下刃２に近接させて配設することによって、板ばね式に提供される。好ましくは、図８に示すように、上刃４は、フレーム３０の取付側の近くに、下部から下方に延びるようにガイド部（ガイド片）１４を設ける。そして、図３に示すように、ガイド部１４を下刃２の側部と当接させて、上刃４と下刃２の噛合いを保つ。図２の（Ａ）に示す状態では、基盤２２上の下刃２と、スライド部材４０上の上刃４は、上下方向に相対するように配置されているが、スライド部材４０を上方位置から下方位置までスライド移動すると、図２の（Ｂ）の矢印に示すように、上刃４は側方に押込まれて、下刃２と噛合う。この様に、ベース２０上に取り付けられるフレーム３０の本体３３が、若干、側方にずれて上方に延びるため、鋏の様に、下刃２に対して、上刃４を点当りで押し付けることができる。但し、図２（Ａ）、（Ｂ）は、説明を容易にするため、誇張して示されていることを理解されたい。【００２４】
以上のように構成されることで、ハンドル５０を回転して、駆動機構６０を操作して、上方位置から下方位置までスライド部材４０をスライド移動させると、下刃２と上刃４が鋏式に噛合って、点当りで裁断できる。このため、本発明の実施形態に係るカッター１０は、紙や布等の様々な被裁断物を綺麗に裁断することができる。
操作はハンドル５０を押し下げるだけでよく、鋏を使う様な技術は要らないため、幼老人や指先の不自由な人等でも容易に扱うことができる。特に、上刃４と下刃２とが近接する際に、紙が挿入側とは反対側に逃げるのを防止できるので、紙を押さえる必要がなくなる。このため、ハンドル５０を押し下げるだけで、片手で紙を裁断することも可能となる。
さらに、本発明の実施形態に係るカッター１０では、固設された下刃２に対して、上刃４を上方から移動させて、双方の刃２、４の相互作用により、カッター機能を行うため、上刃４をさほど鋭利にする必要はないし、裁断時に上刃４を保護するように、基盤２２上に耐傷性を有するラバー部材などを備える必要がない。【００２５】
さらに、本発明に係る好適な実施形態では、被裁断物の端から限られた位置で、被裁断物を裁断する手段８０を備える。
即ち、例えば、図５に示すように、上刃４とスライド部材４０の間において、スライド部材４０内に備えた収容溝８２内に、ガイド体８４をスライド移動自在に収容させる。ガイド体８４は、奥行定規であって、図１０の（Ａ）に示すように、スライド部材４０の内側の側面をガイド体８４の側面の形状に合わせてくぼませて構成された収容溝８２内に本体を収容させる収容位置（非使用位置）と、図１０の（Ｂ）に示すように、収容溝８２内から本体の下部８６を下方に延ばす展開位置（使用位置）との間でスライド移動自在にされている。具体的には、図１０の（Ｂ）に示すように、奥行定規８４は、展開時には裁断方向に対して垂直に延びて、この下部８６から、裁断作用を行う上刃４の裏側で、紙等の被裁断物の裏当てを行う。このため、被裁断物の端から所定の位置で裁断できるようになる。尚、図１０では、説明を容易にするため、上刃４を、スライド部材４０及び奥行定規８４と重ねて示している。【００２６】
奥行定規８４の収容位置と展開位置の切り替えは、奥行定規８４を上下方向にスライド移動させることで行うが、例えば、図１０に示すように、奥行定規８４の本体にスライド方向に沿って延びる縦長のスロット８８を設けるとともに、奥行定規８４を収容する収容溝８２内に突出部８７を設ける。この突出部８７はスロット８８内に収容されて、奥行定規８０のスライド幅を定めるように機能する。即ち、図１０の（Ａ）に示すように、奥行定規８４が収容溝８２内に収容されるとき、突出部８７はスロット８８の下方端部と当接して、奥行定規８４の収容位置を定める。また、図１０の（Ｂ）に示すように、奥行定規８４が収容溝８２から一部下方に引き出されるとき、突出部８７はスロット８８の上方端部と当接して、奥行定規８４の展開位置を定める。【００２７】
さらに、図示していないが、一層の操作性を向上させるため、様々な工夫を奥行定規８４に備えていてもよい。例えば、収容溝８２と奥行定規８４に夫々対に係合するように係合部を設けて、図１０の（Ａ）に示す収容位置と図１０の（Ｂ）に示す展開位置で、夫々、奥行定規８４を所定位置で固定させてもよい。また、奥行定規８４を、ベース２０上に、出没可能に設けてもよい。例えば、上記収容溝８２をベース２０上に備えて、この中に、奥行定規８４をスライド移動自在に収容させる。奥行定規８４は、収容溝８２内に本体を収容させる収容位置と、収容溝８２内から本体の上部を上方に延ばす展開位置との間でスライド移動自在にされる。奥行定規８４は、展開時には、裁断方向に対して垂直に延びて、この上部から、裁断作用を行う上刃の裏側で、紙等の被裁断物の裏当てを行う。
本発明の実施形態に係るカッター１０は、以上のように構成されて、限られた間隔で、被裁断物を裁断する手段８０を備えるため、例えば、封書の開封を行う場合のように、封書の端部から限られた位置で裁断することが求められる場合にも簡単に対処することができる。【００２８】
次に、図１１〜２０を参照して、本発明の第二の実施形態について説明する。第二の実施形態は、基本的に、上記第一の実施形態と同様に構成され、第一の実施形態と同一又は同様の部品に対しては、第一の実施形態の参照番号に１００を加えたものが付けられている。
図１１に示すカッター１１０は、ベース１２０と、該ベース１２０上に片持ち状に取り付けられたフレーム１３０と、該フレーム１３０に対して、スライド移動自在に取り付けられたスライド部材１４０と、該スライド部材１４０のスライド移動を操作する操作部１５０を有している。ベース１２０とスライド部材１４０には夫々下刃１０２と上刃１０４が取り付けられており、操作部１５０によるスライド部材１４０のスライド移動に伴って、下刃１０２に対して、上刃１０４を上方から移動させて、これら刃１０２、１０４によって裁断機能を行う。図１２に示すように、フレーム１３０は、ベース１２０の一端部に片持ち状に取り付けられるため、上刃１０４と下刃１０２の間の細長い隙間Ｓ内に、フレーム１３０の取り付け側を除くほぼ全周囲から被裁断物を挿入できる。図１４に示すように、カッター１１０内には、駆動機構１６０が設けられており、図１５の（Ａ）から（Ｂ）に示すように、スライド部材１４０を上方から下方にスライド移動させることで、上刃１０４と下刃１０２を噛合わせる。第二の実施形態でも、第一の実施形態と同様に、上刃１０４と下刃１０２の間の細長い隙間Ｓ内に、様々な方向から、連続的に、被裁断物を挿入して、上刃１０４と下刃１０２を鋏式に噛合わせて、被裁断物を綺麗に裁断できる。【００２９】
駆動機構１６０は、スライド部材１４０を上方から下方にスライド移動させるように任意に構成できるが、好ましくは、第一の実施形態と同様に構成される。但し、第二の実施形態では、レバー１６３を回転自在に支持するシャフト１５３は、ハンドル１５０の回転によって直接駆動されないが、接続部９７によって、アーム９９を用いてリンク状にレバー１６２に接続されている。従って、図１５の（Ａ）から（Ｂ）に示すように、ハンドル１５０を回転させて、シャフト１５２と一体のレバー１６２を回転させると、アーム９９によってリンク状に連結されたレバー１６３は、シャフト１５３を中心として、レバー１６２と同期して回転する。故に、第二の実施形態は、二種類のレバー１６２、１６３を用いて、より確実に、スライド部材１４０をベース１２０に対する平行状態を維持させながら、下方にスライド移動できる。【００３０】
上刃１０４は、スライド部材１４０とともに下方に移動する際、下刃１０２に向って押し込まれるが、第二の実施形態では、図１６に示すように、スライド部材１４０と上刃１０４の間に介装された弾性体（例えば、コイルばね１００）によって、上刃１０４の側面を下刃１０２の側面に向けて付勢する。上刃１０４の下部にはガイド部１１４（図１４参照）を備えており、図１７に示すように、スライド部材１４０を下方にスライド移動させると、コイルばね１００の付勢力に逆らって、反りＤをなくすように、上刃１０４がスライド部材１４０に向って押し込まれる。このため、カッター１１０は、上刃１０４と下刃１０２を点当りで接触させて、鋏式に裁断できる。【００３１】
コイルばね１００を用いて、スライド部材１４０上で上刃１０４を弾力的に支持するため、例えば、図１１に示したように、上刃１０４の上方端部のうち、フレーム１３０の取付側では、軸部１０５を設けて、フレーム１３０に対して軸着するとともに、反対側では、フック部１０６を設けて、スライド部材１４０の背面に設けた溝部１０７内に係止させてもよい。図１１の下方には、円で囲った部分の後ろ側を、拡大して示している。フック部１０６は溝部１０７内でわずかに移動できる。このため、上刃１０４とスライド部材１４０の間に設けたコイルばね１００によって付勢された上刃１０４を移動させることができ、下刃１０２に上刃１０４を点当りで押し付けることができる。他、異なる態様から、上刃１０４をフレーム１３０に取付けてもよい。例えば、図１８に示したように、上刃１０４の上方端部のうち、左右両方の端部に軸部１０５、１０５を設けて、夫々、フレーム１３０に軸着してもよい。この場合、上刃１０４は、左右両方の軸部１０５を中心にして、回動可能に付勢される。
また、スライド部材１４０と上刃１０４の間ではなく、スライド部材１４０とフレーム１３０の間にばね１００を介装させて、上刃１０４を下刃１０２に対してばね付勢させることも可能である。【００３２】
他、第二の実施形態では、カッター１１０の使い勝手を高めるように様々な工夫を凝らしている。
まず、図１４に示すように、第二の実施形態でも、奥行定規１８４によって、被裁断物の端から限られた位置で裁断可能にするが、奥行定規１８４の上下動と連動して左右方向に移動するスライダ２００を設け、このスライダ２００を操作することによって、簡単に奥行定規１８４を上下動可能にしている。例えば、図１５の（Ｂ）に示すように、奥行定規１８４にカム溝２１０を設ける。図１５の（Ｂ）の下方には、円で囲った部分を、拡大して示している。カム溝２１０は、上方の第一水平区間２１２と、下方の第二水平区間２１４と、これらを結ぶ傾斜区間２１６を含む。奥行定規１８４の後方には、突出部２０２を備えたスライダ２００を設け、突出部２０２をカム溝２１０内に収容する。そして、スライダ２００が最も左側に位置する時、突出部２０２が第一水平区間２１２に収容されて、奥行定規１８４を上方に位置させる。また、スライダ２００が最も右側に位置する時、突出部２０２が第二水平区間２１４に収容されて、奥行定規１８４を下方に位置させる。従って、スライダ２００のスライド移動によって、奥行定規１８４の上下動が定められるので、スライダ２００の操作によって、奥行定規１８４を簡単に位置決めできる。
図示した実施形態では、スライダ２００をスライド部材１４０の上面側に取り付けて、左右方向にスライド移動させて、奥行定規１８４を上下動させているが、スライダ２００を他の位置、例えば、スライド部材１４０の底面側に取り付けてもよいし、スライダ２００を他の方向、例えば、上下方向にスライド移動させて、奥行定規１８４を上下動させてもよい。【００３３】
さらに、第二の実施形態では、図１１に示すように、ベース１２０上に、上刃１０４と下刃１０２の間の隙間Ｓに対して垂直となるように、略長方形状の直角定規２２０を備える。好ましくは、図２０の（Ａ）に示すように、ベース１２０の基盤１２２上に直角定規２２０を上下動自在に設け、直角定規２２０と隣接して、操作部２３０を上下動自在に設けて、夫々の内部にコイルばね２２４、２３４を配設する。直角定規２２０と操作部２３０の夫々の対向する側面に、夫々係合凹部２２６と係合凸部２３６を設けて、嵌合させることで、直角定規２２０は下方位置で保たれる。この時、直角定規２２０の上面は、ベース１２０の基盤１２２とほぼ面一になる。そして、図２０の（Ｂ）に示すように、操作部２３０を下方に押し込むことで、係合凹部２２６と係合凸部２３６の係合が外れ、ばねの２２４付勢力によって直角定規２２０が上方に移動する。この時、図１１に示すように、直角定規２２０がベース１２０の基盤１２２から突出し、側面は、上刃１０４と下刃１０２の間の細長い隙間Ｓに対して垂直に延びる壁となる。このため、直角定規２２０の側面に対して被裁断物の端縁を押し当てることで、その端縁と直角に、被裁断物が裁断されるように位置合わせできる。直角定規２２０の上方位置は、側面に設けた突出部２２８を、ベース１２０内のストッパ１２８に対して係止させることで定められる。さらに、ばね２２４の付勢力に逆らって直角定規２２０を下方に押し込むと、図２０の（Ａ）に示したように、係合凹部２２６と係合凸部２３６が再度係合して、直角定規２２０を下方位置に保持できる。直角定規２２０を上下動させる際、操作部２３０が基盤１２２上から突出しないようにする。【００３４】
さらに、第二の実施形態では、上刃１０４と下刃１０２の間の細長い隙間Ｓに対して平行となるように、略長方形状の水平定規２４０を備える。好ましくは、図１５に示すように、ベース１２０の基盤１２２上に略長方形状の水平定規２４０を、下刃２の延長上に固設する。水平定規２４０の側面は、裁断線に沿って延びるため、水平定規２４０の側面に対して被裁断物の既に裁断された部分を押し当てながら挿入できる。水平定規２４０を利用することで、新聞の様な大きなサイズの被裁断物をまっすぐに裁断できる。この水平定規２４０は、上述のように、上下動自在に構成されてもよい。【００３５】
さらに、第二の実施形態では、図１１に示すように、上刃１０４と下刃１０２との間の隙間Ｓを狭める安全カバー２５０を備える。具体的には、片持ち状に取り付けられるフレーム１３０の取り付け側とは反対側の開口される部分に、フレーム１３０の縁部を囲むように安全カバー２５０を取り付ける。このため、正面から見ると、図１９に示すように、安全カバー２５０によって、上刃１０４をほぼ隠すことができるので、被裁断物を挿入するとき、上刃１０４に指等が触れるおそれをなくすことができる。この場合、上刃１０４と下刃１０２の隙間Ｓ内に、フレーム１３０の取り付け側を除くほぼ全周囲から被裁断物を挿入できるように、フレーム１３０上に安全カバー２５０を上下動自在に取り付けるのが好ましい。これによって、被裁断物の厚さが厚く、隙間Ｓ内に被裁断物を十分に挿入出来ない場合には、安全カバー２５０を上方に押し上げて、上刃１０４に対するアクセスを広げることができる。安全カバー２５０とベース１２０との隙間は、幼児の指が入らない程度（３ｍｍ程度）にするのが望ましい。【００３６】
さらに、第二の実施形態では、図１１に示すように、スライド部材１４０が下降した際に、ベース１２０の間の隙間に指等が挟まれないようにするため、スライド安全カバー２６０を取り付ける。例えば、図１４に示すように、スライド部材１４０上にスライド安全カバー２６０用のレール２６２、２６４を設けて、このレールに沿って摺動可能に、スライド安全カバー２６０を取付ける。このため、スライド部材１４０が上下動した際に、スライド部材１４０とベース１２０の間の隙間が常に塞がれるので、安全性が一層高められる。【００３７】
次に、図２１を参照して、本発明の第三の実施形態について説明する。第三の実施形態は、基本的に、上記第一、第二の実施形態と同様に構成され、第一の実施形態と同一又は同様の部品に対しては、第一の実施形態の参照番号に３００を加えたものが付けられている。
第三の実施形態では、駆動機構３６０はスライド部材３４０の移動範囲を定める手段３７０を備え、これによって、スライド部材３４０を真下に向けてスライド移動させる。例えば、図２１に示すように、スライド部材３４０内に空間部３７２を形成し、この空間部３７２内に、ねじやピン３７４等を用いて、フレーム３３０に対してスライドガイド板３７６を固設する。図示した実施形態では、空間部３７２は、垂直方向にスライドガイド板３７６よりも細長く延びる。そして、スライド部材３４０が上方位置にあるとき、図２１の（Ａ）に示すように、空間部３７２の下側の端部に対して、スライドガイド板３７６の下側の端部が当接して、スライド部材３４０の上方位置の限界を定める。また、スライド部材３４０が下方位置にあるとき、図２１の（Ｂ）に示すように、空間部３７２の上側の端部に対して、スライドガイド板３７６の上側の端部が当接して、スライド部材３４０の下方位置の限界を定める。このため、空間部３７２の下側の端部から、上側の端部に向って、垂直方向にスライド部材３４０の移動範囲が定められている。【００３８】
以上、本発明の好適な実施の形態に係るカッター１０、１１０、３１０について、添付した図を用いて説明したが、いずれの実施形態においても、ハンドル５０、１５０、３５０を押し下げることによって、片持ち状に支持されたフレーム３０、１３０、３３０に取り付けられたスライド部材４０、１４０、３４０を上方位置から下方位置までスライド移動させることによって、スライド部材４０、１４０、３４０の上刃とベース２０、１２０、３２０の下刃とで裁断するので、手先の不自由な人でも鋏で裁断する様な複雑な図形を切り取ることができる。
【産業上の利用可能性】
【００３９】
本発明は、カッターの操作を簡単にするとともに使い勝手を高めたため、幅広い年代から使用することができ、例えば、オフィスや工場や学校、さらには一般の家庭等で様々に使用できる。但し、カッターの裁断対象は用紙に限定されず、厚紙や写真、さらには布等、様々な対象物を裁断することは可能である。
【図面の簡単な説明】
【００４０】
【図１】第一の実施形態に係るカッターの上方位置と下方位置を（Ａ）、（Ｂ）に分けて示す斜視図である。
【図２】第一の実施形態に係るカッターの上方位置と下方位置を（Ａ）、（Ｂ）に分けて示す正面図である。
【図３】第一の実施形態に係るカッターの側面図である。
【図４】第一の実施形態に係るカッターの平面図である。
【図５】第一の実施形態に係るカッターの分解斜視図である。
【図６】カッターの駆動機構の上方位置と下方位置を（Ａ）、（Ｂ）に分けて示す図である。
【図７】スライド部材の平面図と側面図を（Ａ）、（Ｂ）に分けて示す図である。
【図８】上刃の側面図と、このｍ−ｍ線に沿った断面図を示す図である。
【図９】フレームにヒンジ状に取り付けられるハンドルの要部を示す断面図である。
【図１０】ガイド体の収容位置と展開位置を（Ａ）、（Ｂ）に分けて示す図である。
【図１１】第二の実施形態に係るカッターを示す斜視図である。
【図１２】第二の実施形態に係るカッターの側面図である。
【図１３】第二の実施形態に係るカッターの平面図である。
【図１４】第二の実施形態に係るカッターの分解斜視図である。
【図１５】カッターの駆動機構の上方位置と下方位置を（Ａ）、（Ｂ）に分けて示す図である。
【図１６】図１５の（Ａ）のＸＶＩ−ＸＶＩ線に沿った断面図であり、上刃をばね付勢させた状態を示す図である。
【図１７】図１５の（Ｂ）のＸＶＩＩ−ＸＶＩＩ線に沿った断面図であり、上刃を下刃に噛合わせた状態を示す図である。
【図１８】上刃を軸着させた状態を示すカッターの断面図である。
【図１９】カッターの正面図である。
【図２０】直角定規の操作状態を（Ａ）、（Ｂ）に分けて示す断面図である。
【図２１】第三の実施形態に係るカッターの駆動機構の上方位置と下方位置を（Ａ）、（Ｂ）に分けて示す図である。
【符号の説明】
【００４１】
２、１０２            下刃
４、１０４            上刃
１０、１１０、３１０  カッター
１４、１１４          ガイド部
２０、１２０、３２０  ベース
２２、１２２          基盤
３０、１３０、３３０  フレーム
４０、１４０、３４０  スライド部材
５０、１５０、３５０  操作部（ハンドル）
５２、１５２、３５２  シャフト
６０、１６０、３６０  駆動機構
６２、１６２、３６２  第一レバー（カム部材）
６３、１６３、３６３  第二レバー（カム部材）
８４、１８４          奥行定規
１００                コイルばね
２００                スライダ
２２０                直角定規
２４０                水平定規
２５０                安全カバー
２６０                スライド安全カバー
【図１】
2007099758.tif 000003
【図２】
2007099758.tif 000004
【図３】
2007099758.tif 000005
【図４】
2007099758.tif 000006
【図５】
2007099758.tif 000007
【図６】
2007099758.tif 000008
【図７】
2007099758.tif 000009
【図８】
2007099758.tif 000010
【図９】
2007099758.tif 000011
【図１０】
2007099758.tif 000012
【図１１】
2007099758.tif 000013
【図１２】
2007099758.tif 000014
【図１３】
2007099758.tif 000015
【図１４】
2007099758.tif 000016
【図１５】
2007099758.tif 000017
【図１６】
2007099758.tif 000018
【図１７】
2007099758.tif 000019
【図１８】
2007099758.tif 000020
【図１９】
2007099758.tif 000021
【図２０】
2007099758.tif 000022
【図２１】
2007099758.tif 000023
【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
ベースと、該ベースの一端部に片持ち状に取り付けられたフレームと、該フレームにスライド可能に取り付けられたスライド部材とを有し、前記スライド部材に設けられた上刃と、前記ベースに設けられた下刃とによって、前記上刃と前記下刃との間に挿入された被裁断物を裁断するカッターであって、ハンドルを操作することによって前記スライド部材を上方位置と下方位置の間でスライド移動させる駆動機構を有し、前記上方位置では、前記上刃と前記下刃の間の隙間内に、前記片持ち状に取り付けられたフレームの取り付け側を除くほぼ全周囲から被裁断物を挿入可能にし、前記下方位置では、前記上刃と前記下刃を噛合わせて、前記隙間内に置かれた前記被裁断物を裁断し、さらに、前記ベース上に、前記上刃と前記下刃の間の隙間に対して、直角又は平行に延びる定規を上下動自在に備えて、非使用時には、前記ベース内に前記定規を収容させることを特徴とするカッター。
【請求項２】
前記駆動機構は、前記スライド部材を、前記フレームのベースへの取り付け側に向けて、斜め下方に移動させることを特徴とする請求項１に記載のカッター。
【請求項３】
前記上刃は、前記下刃の側面に対してバネ付勢されており、前記下刃に摺接して案内するガイド部を有することを特徴とする請求項１又は２に記載のカッター。
【請求項４】
前記上刃は、前記フレームのベースへの取り付け側が下方になるように傾斜させて配設されたことを特徴とする請求項１〜３の何れかに記載のカッター。
【請求項５】
前記駆動機構は、前記スライド部材に設けられた空間部内に、前記ハンドルを前記フレームに回動可能に取り付けるシャフトと、該シャフトに軸着されたカム部材とを有し、前記ハンドルを押し下げることによって、前記カム部材が回転して前記空間部の内壁に摺接し、前記スライド部材を斜め下方に移動させるように構成されたことを特徴とする請求項１〜４の何れかに記載のカッター。
【請求項６】
前記上刃の側面は、板状の前記スライド部材の側面に固定されており、前記フレームは、前記ベースへの取付部と、該取付部の先端から水平方向に延びて前記スライド部材の側面を取付ける本体部とからなり、前記フレームの本体部を前記下刃の側面に対して所定の角度をもって近接するように、前記フレームの前記ベースへの取付部に配設することによって、前記上刃を前記下刃の側面に対してばね付勢したことを特徴とする請求項１〜５の何れかに記載のカッター。
【請求項７】
（削除）
【請求項８】
（削除）
【請求項９】
被裁断物の端部から限られた位置で、被裁断物を裁断するために、前記端部を当接させる奥行定規を備えたことを特徴とする請求項１〜８の何れかに記載のカッター。
【請求項１０】
前記奥行定規は上下動自在であり、さらに、スライド操作に連動して前記奥行定規を上下動させるスライダを備えたことを特徴とする請求項９に記載のカッター。
【請求項１１】
前記フレームの取り付け側とは反対側に、前記上刃と前記下刃の間の隙間を狭めるカバーを備えたことを特徴とする請求項１〜１０の何れかに記載のカッター。
【請求項１２】
（削除）
【国際調査報告】
2007099758.tif 000024
2007099758.tif 000025
2007099758.tif 000026
2007099758.tif 000027
2007099758.tif 000028
2007099758.tif 000029
2007099758.tif 000030
2007099758.tif 000031